(57)【特許請求の範囲】
【請求項１】
引き出し類の平行一対状の支持部に引っ掛けられて支持部に横架状に設置される横架型トレイであって、上記の支持部に引っ掛けるための引っ掛け箇所を有する取り付け具が、両側部に高さを違えて着脱自在に設けられていることを特徴とする横架型トレイ。
【請求項２】
請求項１記載の横架型トレイであって、取り付け具に挿し込み部が上向き状に形成され、この挿し込み部が下側から挿し込まれる雌形部が両側部に高さを違えて複数形成されていることを特徴とする横架型トレイ。
【請求項３】
請求項１記載の横架型トレイであって、取り付け具に挿し込み部が上向き状に且つ高さを違えて複数形成され、この挿し込み部が下側から挿し込まれる雌形部が両側部に１個形成されていることを特徴とする横架型トレイ。
【請求項４】
請求項２又は３記載の横架型トレイであって、挿し込み部と雌形部とが嵌合可能に形成されていることを特徴とする横架型トレイ。
【請求項５】
請求項１乃至４の何れかに記載の横架型トレイであって、引っ掛け箇所が取り付け具に縦断面逆Ｕ字形に形成され、取り付け具が両側部に出っ張り状に形成されていることを特徴とする横架型トレイ。
【請求項６】
請求項１乃至５の何れかに記載の横架型トレイであって、両側部に取っ手が設けられていることを特徴とする横架型トレイ。
【発明の詳細な説明】
【技術分野】
【０００１】
本発明は、横架型トレイに関し、更に詳しくは、例えば引き出しの前板と後板の両側にバーを左右一対状に架設し、このバーに架け渡して使用する横架型トレイに関するものである。
【背景技術】
【０００２】
従来、この種のトレイとしては、例えば特許文献１に記載されているものがある。
この従来品は、トレイ本体の両側板に、引き出しの平行一対の棒材（バー）に引っ掛けるための引っ掛け部が形成されている。
【０００３】
ところで、引き出し等の収納箇所は、内部の高さが決められている反面、収納する品物の高さは、例えば醤油や酒等の背の高い容器から、皿や茶托等の背の低い品物まで、多種多様である。
従って、引き出し等の中に設置して使用するこの種のトレイは、引き出し等の内部にデッドスペースが生じないよう、収納物の高さに合わせてバーに柔軟に設置できるよう形成されているのが望ましい。
【０００４】
しかるに、従来品は、バーに設置する高さを自由に変更することができなかったから、従来品によると、引き出し内にデッドスペースを生じ易く、効率良く品物を収納することができなかった。
また従来品を使用すると、背の高い品物はトレイの下側を避け、トレイの前後の位置に収納する必要があり、通常、トレイの下側を含めた引き出しの底の全面に、背の高い品物を収納することができなかった。
【先行技術文献】
【特許文献】
【０００５】
【特許文献１】実公平７−１６３４３号公報
【発明の概要】
【発明が解決しようとする課題】
【０００６】
本発明は、このような従来品の問題点に鑑み、提案されたものである。
従って本発明の解決しようとする技術的課題は、収納する品物の高さに合わせて設置高さを変更できるようにし、引き出し内にデッドスペースを生じさせることなく、効率良く柔軟に収納でき、またトレイの下側を含めて、引き出し等の底の全面に背の高い品物を収納でき、品物の高さの違いで収納を不便にしたり、収納作業に支障を来たすことがないよう形成した横架型トレイを提供することにある。
【課題を解決するための手段】
【０００７】
本発明は、上記の課題を解決するため、次のような技術的手段を採る。
即ち本発明は、図１等に示されるように、引き出し類１の平行一対状の支持部２に引っ掛けられて支持部２に横架状に設置される横架型トレイであって、上記の支持部２に引っ掛けるための引っ掛け箇所４を有する取り付け具３が、両側部５に高さを違えて着脱自在に設けられていることを特徴とする（請求項１）。
【０００８】
ここで、引き出し類１とは、流し台等の引き出しのほか、床下収納庫のように、上面から品物１４を出し入れする型式の収納庫など、トレイを横架状に設置できる箇所のことを意味する。またここで、支持部２としては、引き出しの前板１ａと後板１ｂの両側に平行一対状に架設されるバーや、引き出しの平行一対状の側板の上端がある。また本発明の場合、取り付け具３は特別な工具を必要とすることなく、ワンタッチで簡単、迅速に着脱できるよう形成されているのが好ましいが、その着脱構造は任意である。
【０００９】
而して、本発明は、図５等に示されるように、取り付け具３に挿し込み部３ａが上向き状に形成され、この挿し込み部３ａが下側から挿し込まれる雌形部８が両側部５に高さを違えて複数形成されているのが好ましい（請求項２）。
なぜならこれによると、手を上下方向に動かすことで取り付け具３を着脱できるから、腕や手首に無理がかからず、自然な、楽な操作で使用できるからである。本発明の場合、雌形部８は、例えば凹形や溝形に形成することで実現される。
【００１０】
また本発明は、雌形部８を両側部５に高さを違えて複数形成するのに代え、図１０に示されるように、形成されているのでも良い。
即ち、この本発明は、取り付け具３に挿し込み部３ａが上向き状に且つ高さを違えて複数形成され、この挿し込み部３ａが下側から挿し込まれる雌形部８が両側部５に１個形成されているものである（（請求項３）。
【００１１】
この場合は、図１１Ｂ、Ｃに示されるように、取り付け具３の挿し込み部３ａの内、例えば最上段、又は最下段の挿し込み部３ａを利用して取り付け具３を両側部５に取り付けると、トレイ本体６の両側部５の高さを越えて本発明品を支持部２に高く（同図Ｂ参照）、又は低く（同図Ｃ参照）設置できる。またこの場合は、同図Ａ〜Ｃに示されるように、引っ掛け箇所４の高さ違いを多種類作ることができる。
従って、これによれば、品物１４の高さの違いに対してより柔軟に対応でき、使い勝手が一層良くなる、という利点がある。
【００１２】
また本発明は、図９に示されるように、挿し込み部３ａと雌形部８とが嵌合可能に形成されているのが好ましい（請求項４）。
なぜならこれによると、本発明品を支持部２から取り外したとき、取り付け具３が両側部５から脱落することを防止できるからである。
【００１３】
本発明品は、支持部２に横架すると、自重や荷重が取り付け具３に加わって取り付け具３は落下しないため、挿し込み部３ａを雌形部８に単に挿し込む構造でも良い。しかし、この場合は、本発明品を支持部２から取り外したとき取り付け具３の落下を招く、という問題が生じる。請求項４記載の本発明によれば、この種の問題を解消できるものである。ここで、嵌合可能とは、挿し込み部３ａ又は雌形部８の何れか一方に嵌合用の凸部１２が設けられ、取り付け具３を挿し込んだとき、この凸部１２が嵌まる凹部１３が他方に形成されることで実現される。
【００１４】
また本発明は、図５等に示されるように、引っ掛け箇所４が取り付け具３に縦断面逆Ｕ字形に形成され、取り付け具３が両側部５に出っ張り状に形成されているのが好ましい（請求項５）。
なぜならこれによると、通常、丸棒状に形成される支持部２との係合が円滑になるだけではなく、取り付け具３を手掛かり箇所として利用でき、使い勝手が良くなるからである。
【００１５】
また本発明は、図１、図２等に示されるように、両側部５に取っ手１１が設けられているのが好ましい（請求項６）。
なぜならこれによると、支持部２から取り外したり、支持部２に設置するとき、取っ手１１を利用して楽に行なうことができ、一層、使い勝手が良くなるからである。本発明の場合、取っ手１１の形状や取り付け位置等は、任意である。
【発明の効果】
【００１６】
本発明は、このように引き出し類の平行一対状の支持部に引っ掛けるための引っ掛け箇所を有する取り付け具が、両側部に高さを違えて着脱自在に設けられている。
従って本発明品は、取り付け具の取り付け箇所を変更することにより、収納する品物の高さに応じて設置位置を変更でき、引き出し等の内部にデッドスベースが生じることを防止でき、効率良く収納できる。
【００１７】
また本発明品は、取り付け具を、両側部の例えば最下段に取り付けると、引き出しの底の上面から本発明品の底の下面までの高さを高くできる。
従って、本発明品は、トレイの下側を含めて引き出し等の底の全面に背の高い品物を収納することができるから、これによれば、品物の高さの違いで収納が不便になったり、収納作業に支障を来たすことがない。
【図面の簡単な説明】
【００１８】
【図１】本発明のトレイの好適な一実施形態を示す使用状態時の斜視図である。
【図２】同上トレイの正面図である。
【図３】同上トレイの平面図である。
【図４】同上トレイの側面図である。
【図５】同上トレイの要部断面図である。
【図６】取り付け具の挿し込み操作を説明するための要部斜視図である。
【図７】同上トレイの使用状態を示す側面図である。
【図８】同上トレイの使用状態を示す側面図である。
【図９】同上トレイの他の実施形態を示す要部断面図である。
【図１０】同上トレイの他の実施形態を示し、Ａは要部側面図、Ｂは取り付け具の側面図である。
【図１１】図１０の本発明トレイの使用状態を示し、Ａ、Ｂ、Ｃとも要部側面図である。
【発明を実施するための形態】
【００１９】
以下、本発明を実施するための好適な一実施形態を、添付図面に従って説明する。
本発明は、図１等に示されるように、引き出し類１の平行一対状の支持部２に引っ掛けられて支持部２に横架状に設置される横架型トレイである。支持部２は、この実施形態では丸棒（バー）で形成され、引き出し類１としての引き出しの前板１ａと後板１ｂの両側に、平行一対状に架設されている。
【００２０】
３は、上記の支持部２に引っ掛けるための引っ掛け箇所４を有する合成樹脂製の取り付け具である。この取り付け具３は、両側部５に出っ張り状に形成されている。両側部５は、合成樹脂をインジェクション成形した板材で形成されている。
【００２１】
両側部５としての板材は、縦断面が凹溝状のトレイ本体６の左右の開口面に、ネジ７で固定されている。なお、トレイ本体６は、アルミニウム又は合成樹脂材で押し出し成形されている。また上記の引っ掛け箇所４は、支持部２とフィットするよう取り付け具３の全長に渡って縦断面逆Ｕ字形に形成されている。
【００２２】
また取り付け具３は、両側部５に高さを違えて着脱自在に設けられている。具体的には、取り付け具３に挿し込み部３ａ（図５、図６参照）が上向き状に形成されている。この挿し込み部３ａは、この実施形態では垂直状の板片で形成されている。そして、この挿し込み部３ａが下側から挿し込まれる雌形部８（図５参照）が、両側部５に高さを違えて複数形成されている。
【００２３】
雌形部８は、図５等に示されるように、両側部５の外面に縦断面クランク形に形成された凸段差部９の垂下片９ａが、両側部５の外面と作る隙間で形成されている。またこの実施形態では、挿し込み部３ａの前側に起立片１０が形成され、上記の垂下片９ａを、挿し込み部３ａと起立片１０とで挟み付けることができるよう形成されている。雌形部８は、この実施形態では、上段、中段、下段と、高さを違えて平行状に３箇所形成されている。
【００２４】
また本発明品は、図１、図２等に示されるように、両側部５に取っ手１１が形成されている。取っ手１１は、この実施形態では合成樹脂材で形成され、両側部５の上部に一体的に設けられている。
【００２５】
次に本発明品の使用例を説明する。
本発明品は、図１に示されるように、取り付け具３の引っ掛け箇所４を支持部２に引っ掛け、支持部２に横架して引き出し類１の中に設置して使用する。
【００２６】
この場合、使用者は、収納する品物１４（図１等参照）の高さを考慮して、図６に示されるように、取り付け具３の挿し込み部３ａを雌形部８に下方から挿し込み、取り付け具３を両側部５の適宜位置に取り付ける。
【００２７】
本発明品の設置高さを変えるときは、雌形部８から取り付け具３を下方に抜き取り、任意の雌形部８に挿し込み直す。また本発明品を引き出し類１の中から取り出すときは、取っ手１１を利用して持ち上げ、支持部２から取り外す。また本発明品の下側の品物１４を取り出すときは、支持部２に沿って本発明品を前後方向にスライドさせて行なう。
【００２８】
而して、図１に示されるように、取り付け具３が最下段の雌形部８に取り付けられると、本発明品が支持部２に高く設置され、引き出し類１の底からトレイ本体６の底板の下面までの高さが高くなる。従って、本発明品の下側を含めて引き出し類１の底の全面に背の高い品物１４を収納することができる。
【００２９】
また本発明のトレイに、背の高い品物１４を収納するときは、取り付け具３を最上段の雌形部８に取り付け、本発明品を支持部２に低く設置する。これにより、本発明品の底板からキャビネットの天井までの高さが高くなり、背の高い品物１４の収納が可能になる。
【００３０】
なお、本発明品は、取り付け具３を、上段、中段、下段の何れの雌形部８に取り付けても、トレイ本体６の深さに変更を来たすものではない。従って、本発明品は、収納する品物１４の高さに応じて設置高さを変えても、本発明のトレイに収納した品物１４の収納姿勢を不安定にすることがない。
【００３１】
以上の処において、本発明は、図９に示されるように、挿し込み部３ａと雌形部８とが嵌合可能に形成されているのでも良い。この実施形態では、挿し込み部３ａの上部に嵌合用の凸部１２が形成され、取り付け具３を挿し込んだとき、この凸部１２が嵌まる凹部１３が雌形部８の垂下片９ａの内側に形成されている。この場合、凸部１２や凹部１３の形状、個数、形成位置は任意である。
【００３２】
また本発明は、図１０に示されるように、取り付け具３の例えば背面に、挿し込み部３ａが上向き状に且つ高さを違えて複数形成され、この挿し込み部３ａが下側から挿し込まれる雌形部８が両側部５に１個形成されているのでも良い。この実施形態では、挿し込み部３ａが、高さを違えて３個（３段状）に形成され、雌形部８は両側部５の中央部に横長状に形成されている。
【００３３】
この本発明の場合は、図１１に示されるように、適宜位置の挿し込み部３ａを利用して取り付け部３を両側部５に取り付けて使用する。同図Ａは、真中（２段目）の挿し込み部３ａを雌形部８に挿し込んで取り付け具３を両側部５に取り付けた事例である。また同図Ｂの場合は、最上段の挿し込み部３ａを雌形部８に挿し込んだ事例であり、同図Ｃは最下段の挿し込み部３ａを雌形部８に挿し込んだ事例である。
【００３４】
この本発明の場合は、同図Ｂ、Ｃに示されるように、最上段、又は最下段の挿し込み部３ａを利用して取り付け具３を両側部５に取り付けると、トレイ本体６の両側部５の高さを越えて本発明品を支持部２に高く（同図Ｂ参照）、又は低く（同図Ｃ参照）設置できる。
【００３５】
またこの本発明の場合は、図１１Ａ〜Ｃに示されるように、引っ掛け箇所４の高さ違いを多種類作ることができる。従って、これによれば、品物１４の高さの違いに対してより柔軟に対応でき、使い勝手が一層良くなるものである。
【符号の説明】
【００３６】
１      引き出し類
２      支持部
３      取り付け具
４      引っ掛け箇所
５      両側部
【図１】
0005691876.tif 000002
【図２】
0005691876.tif 000003
【図３】
0005691876.tif 000004
【図４】
0005691876.tif 000005
【図５】
0005691876.tif 000006
【図６】
0005691876.tif 000007
【図７】
0005691876.tif 000008
【図８】
0005691876.tif 000009
【図９】
0005691876.tif 000010
【図１０】
0005691876.tif 000011
【図１１】
0005691876.tif 000012